(57)【要約】【課題】防水用筒体に外力が直接作用し難く、外力により防水用筒体がコネクタ接続口から外れることを抑止して防水性能の向上を図ることができ、しかも、外部からの張力がフラット回路体上の狭い範囲に集中荷重として作用することを防止して、集中荷重によるフラット回路体の破損を防止することができる防水型フラット回路体用コネクタを提供すること。【解決手段】ハウジング１０と、ハウジング１０の回路体挿入口１１に挿入されるＦＰＣ２０と、回路体挿入口１１内に収まる防水栓としてＦＰＣ２０の先端部２０ａ付近のみに装着された防水用筒体３０と、ＦＰＣ２０の防水用筒体３０よりも先端側となる位置に固定されたスライダ４０と、ハウジング１０に挿入されたスライダ４０の係止溝４１に挿入されてスライダ４０の挿入方向に沿う方向の移動を規制する抜け止め用支え棒５０と、を備える。【選択図】図１
2013098129.tif 000002
【特許請求の範囲】
【請求項１】
一端に回路体挿入口が設けられると共に、他端に相手コネクタに嵌合接続されるコネクタ接続口が設けられたハウジングと、
平面状に並設された複数本の導体の周囲が絶縁被覆によって覆われた偏平形状に形成されると共に先端部が前記回路体挿入口を通って前記コネクタ接続口内に臨むように前記回路体挿入口に挿入されるフラット回路体と、
防水性及び弾性を備えた材料によって略筒状構造に形成されて前記フラット回路体の先端部付近に被嵌装着され、前記フラット回路体の先端部を前記回路体挿入口に挿通させた際に前記コネクタ接続口に液密に接続される防水用筒体と、
を備える防水型フラット回路体用コネクタであって、
前記回路体挿入口内に収まり前記コネクタ接続口の内周に嵌合する防水栓として前記フラット回路体の先端部付近のみに装着された前記防水用筒体と、
前記フラット回路体の前記防水用筒体よりも先端側となる位置に固定されて前記フラット回路体の先端部に前記回路体挿入口の挿入に適した剛性を付与するスライダと、
前記フラット回路体の成す平面と平行な前記スライダの外面に前記フラット回路体の幅方向に沿って延設されると共に、その端部が前記スライダの外側面に開口する係止溝と、
前記係止溝の開口と対向する前記ハウジングの側壁に貫通形成されて前記開口を外部に連通させる支え棒挿入口と、
前記ハウジングと前記スライダとに跨るように前記支え棒挿入口から前記係止溝に挿入されて、前記スライダの挿入方向に沿う方向の移動を規制する抜け止め用支え棒と、
を備えたことを特徴とする防水型フラット回路体用コネクタ。
【請求項２】
前記抜け止め用支え棒は、端部に、前記ハウジングに形成された支え棒保持部に係合して、前記係止溝に沿う方向への移動を規制するハウジング係合部を備えたことを特徴とする請求項１に記載の防水型ＦＰＣ／ＦＦＣコネクタ。
【請求項３】
一端に回路体挿入口が設けられると共に、他端に相手コネクタに嵌合接続されるコネクタ接続口が設けられたハウジングと、
平面状に並設された複数本の導体の周囲が絶縁被覆によって覆われた偏平形状に形成されると共に先端部が前記回路体挿入口を通って前記コネクタ接続口内に臨むように前記回路体挿入口に挿入されるフラット回路体と、
防水性及び弾性を備えた材料によって略筒状構造に形成されて前記フラット回路体の先端部付近に被嵌装着され、前記フラット回路体の先端を前記回路体挿入口に挿通させた際に前記コネクタ接続口に液密に嵌合する防水用筒体と、
を備える防水型フラット回路体用コネクタであって、
前記コネクタ接続口内に収まって前記コネクタ接続口の内周に嵌合する防水栓として前記フラット回路体の先端部付近のみに装着された前記防水用筒体と、
前記フラット回路体の前記防水用筒体よりも先端側となる位置に固定されて前記フラット回路体の先端部に前記回路体挿入口の挿入に適した剛性を付与するスライダと、
前記フラット回路体の幅方向に沿って延在するように、前記フラット回路体の成す平面と平行な前記スライダの外面に形成された抜け止め用の段差面と、
前記回路体挿入口とコネクタ接続口との間のハウジングの内部に突設されて、前記ハウジングの前記回路体挿入口に挿入された前記フラット回路体の先端が規定の挿入完了位置に到達したときに、前記スライダの段差面に係合して前記スライダの抜け方向への移動を規制するランスと、
を備えたことを特徴とする防水型フラット回路体用コネクタ。
【請求項４】
前記段差面は、前記ランスが突入可能に前記スライダの外面に形成された溝の端面であることを特徴とする請求項３に記載の防水型ＦＰＣ／ＦＦＣコネクタ。
【発明の詳細な説明】
【技術分野】
【０００１】
本発明は、本発明は、フレキシブルプリント基板（Ｆｌｅｘｉｂｌｅ  Ｐｒｉｎｔｅｄ  Ｃｉｒｃｕｉｔ：ＦＰＣ）、フレキシブルフラットケーブル（Ｆｌｅｘｉｂｌｅ  Ｆｌａｔ  Ｃａｂｌｅ：ＦＦＣ）等のフラット回路体が防水構造に接続される防水型フラット回路体用コネクタに関する。
【背景技術】
【０００２】
自動車やＯＡ機器などの配線には、一般的に複数の被覆電線を束ねた構造のワイヤハーネスが多く用いられているが、近年、配線の高密度化の要請などにより、より軽量かつ薄型で高密度化が可能なフレキシブルプリント基板（ＦＰＣ）、フレキシブルフラットケーブル（ＦＦＣ）等のフラット回路体を配線部材に利用したワイヤハーネスが急増している。
【０００３】
ワイヤハーネスとして利用される上記のフラット回路体の内、例えばＦＰＣは絶縁樹脂からなるベースフィルムの片面に圧延銅箔などを積層した銅張積層板にエッチングなどにより導体パターンからなる配線を形成し、カバーレイなどの保護フィルムで被覆した構造からなる。また、例えばＦＦＣは矩形断面や丸形断面を有する配線を平面状に並設して各配線の周囲を絶縁被覆で覆った構造からなる。
【０００４】
図２６及び図２７は、上記のフラット回路体であるＦＰＣが防水構造で接続される防水型フラット回路体用コネクタの従来例を示したものである。
【０００５】
これらの図に示した防水型フラット回路体用コネクタは、下記特許文献１に開示されたものである。特許文献１に開示された防水型フラット回路体用コネクタ１００は、図示のように、ハウジング１１０と、フラット回路体としてのＦＰＣ１２０と、防水用筒体１３０と、から構成されている。
【０００６】
ハウジング１１０は、一端に回路体挿入口１１１が設けられると共に、他端に相手コネクタに嵌合接続されるコネクタ接続口１１２が設けられている。コネクタ接続口１１２の周囲は防水用筒体１３０が外嵌する筒状構造１１３に形成されており、その外周面には、筒体係止用の凹部１１４が形成されている。
【０００７】
ＦＰＣ１２０は、平面状に並設された複数本の導体１２１の周囲が絶縁被覆１２２によって覆われた偏平形状に形成されている。このＦＰＣ１２０の先端部１２０ａは、絶縁被覆１２２が剥離されて導体１２１が露出させられている。ＦＰＣ１２０の先端部１２０ａは、図２７に示すように、回路体挿入口１１１を通ってコネクタ接続口１１２内に臨むように前記回路体挿入口１１１に挿入される。また、図２７に示すように、ハウジング１１０内に収容されるＦＰＣ１２０の先端部１２０ａには、ハウジング１１０内に設けられた係止突起１１６と係合する係合穴１２４が設けられている。
【０００８】
回路体挿入口１１１に挿入されたＦＰＣ１２０は、係合穴１２４を直接係止突起（ランス）１１６に係合させることで、抜け止めされる。
【０００９】
防水用筒体１３０は、防水性及び弾性を備えた材料によって略筒状構造に形成されて、防水用筒体１３０に被嵌装着される。特許文献１の場合、防水用筒体１３０は、ＦＰＣ１２０の先端部付近だけではなく、ＦＰＣ１２０の略全長を収容するチューブ状であり、その端部１３０ａは、防水型フラット回路体用コネクタ１００の筒状構造１１３の外周に嵌合する。筒状構造１１３の外周に嵌合する防水用筒体１３０の端部１３０ａの内周には、筒状構造１１３の筒体係止用の凹部１１４に係合して抜け止めを果たすハウジング係合突起１３２が突設されている。特許文献１の場合、ＦＰＣ１２０の先端部１２０ａを回路体挿入口１１１に挿通させた際に、図２７に示すように防水用筒体１３０の端部１３０ａがハウジング１１０の筒状構造１１３に外嵌することで、防水用筒体１３０がコネクタ接続口１１２に液密に嵌合した状態になる。また、同時に、防水用筒体１３０は、図２７に示すように、ハウジング係合突起１３２がハウジング１１０の筒体係止用の凹部１１４に係合することで、ハウジング１１０の筒状構造１１３に固定され、抜け止めされる。
【先行技術文献】
【特許文献】
【００１０】
【特許文献１】特開２００８−１９８４１０号公報
【発明の概要】
【発明が解決しようとする課題】
【００１１】
ところが、特許文献１の防水型フラット回路体用コネクタでは、防水用筒体１３０がＦＰＣ１２０の略全長を覆う構造で、外力が直接、防水用筒体１３０に作用し易い。更に、防水用筒体１３０は弾性に富む材料のため、抜け止め用の係止力がそれほど強くない。そのため、外力によりハウジング１１０から抜ける方向（図２７の矢印Ｘ１方向）に外力が作用すると、筒状構造１１３との係合が外れて、防水性が損なわれてしまうおそれがあった。
【００１２】
また、特許文献１の防水型フラット回路体用コネクタでは、ＦＰＣ１２０上の係合穴１２４が直接ハウジング１１０の係止突起１１６により係止されるため、外力により抜け方向の張力が作用するときに、張力が狭い係合穴１２４に集中荷重として作用してしまい、ＦＰＣ１２０に破損が生じ易いという問題もあった。
【００１３】
そこで、本発明の目的は、上記課題を解消することに係り、外力により防水用筒体がコネクタ接続口から外れることを抑止して防水性能の向上を図ることができ、しかも、外部からの張力がフラット回路体上の狭い範囲に集中荷重として作用することを防止して、集中荷重によるフラット回路体の破損を防止することができる防水型フラット回路体用コネクタを提供することにある。
【課題を解決するための手段】
【００１４】
本発明の前述した目的は、下記の構成により達成される。
（１）一端に回路体挿入口が設けられると共に、他端に相手コネクタに嵌合接続されるコネクタ接続口が設けられたハウジングと、
平面状に並設された複数本の導体の周囲が絶縁被覆によって覆われた偏平形状に形成されると共に先端部が前記回路体挿入口を通って前記コネクタ接続口内に臨むように前記回路体挿入口に挿入されるフラット回路体と、
防水性及び弾性を備えた材料によって略筒状構造に形成されて前記フラット回路体の先端部付近に被嵌装着され、前記フラット回路体の先端部を前記回路体挿入口に挿通させた際に前記コネクタ接続口に液密に接続される防水用筒体と、
を備える防水型フラット回路体用コネクタであって、
前記回路体挿入口内に収まり前記コネクタ接続口の内周に嵌合する防水栓として前記フラット回路体の先端部付近のみに装着された前記防水用筒体と、
前記フラット回路体の前記防水用筒体よりも先端側となる位置に固定されて前記フラット回路体の先端部に前記回路体挿入口の挿入に適した剛性を付与するスライダと、
前記フラット回路体の成す平面と平行な前記スライダの外面に前記フラット回路体の幅方向に沿って延設されると共に、その端部が前記スライダの外側面に開口する係止溝と、
前記係止溝の開口と対向する前記ハウジングの側壁に貫通形成されて前記開口を外部に連通させる支え棒挿入口と、
前記ハウジングと前記スライダとに跨るように前記支え棒挿入口から前記係止溝に挿入されて、前記スライダの挿入方向に沿う方向の移動を規制する抜け止め用支え棒と、
を備えたことを特徴とする防水型フラット回路体用コネクタ。
【００１５】
（２）前記抜け止め用支え棒は、端部に、前記ハウジングに形成された支え棒保持部に係合して、前記係止溝に沿う方向への移動を規制するハウジング係合部を備えたことを特徴とする上記（１）に記載の防水型フラット回路体用コネクタ。
【００１６】
（３）一端に回路体挿入口が設けられると共に、他端に相手コネクタに嵌合接続されるコネクタ接続口が設けられたハウジングと、
平面状に並設された複数本の導体の周囲が絶縁被覆によって覆われた偏平形状に形成されると共に先端部が前記回路体挿入口を通って前記コネクタ接続口内に臨むように前記回路体挿入口に挿入されるフラット回路体と、
防水性及び弾性を備えた材料によって略筒状構造に形成されて前記フラット回路体の先端部付近に被嵌装着され、前記フラット回路体の先端を前記回路体挿入口に挿通させた際に前記コネクタ接続口に液密に嵌合する防水用筒体と、
を備える防水型フラット回路体用コネクタであって、
前記コネクタ接続口内に収まって前記コネクタ接続口の内周に嵌合する防水栓として前記フラット回路体の先端部付近のみに装着された前記防水用筒体と、
前記フラット回路体の前記防水用筒体よりも先端側となる位置に固定されて前記フラット回路体の先端部に前記回路体挿入口の挿入に適した剛性を付与するスライダと、
前記フラット回路体の幅方向に沿って延在するように、前記フラット回路体の成す平面と平行な前記スライダの外面に形成された抜け止め用の段差面と、
前記回路体挿入口とコネクタ接続口との間のハウジングの内部に突設されて、前記ハウジングの前記回路体挿入口に挿入された前記フラット回路体の先端が規定の挿入完了位置に到達したときに、前記スライダの段差面に係合して前記スライダの抜け方向への移動を規制するランスと、
を備えたことを特徴とする防水型フラット回路体用コネクタ。
【００１７】
（４）前記段差面は、前記ランスが突入可能に前記スライダの外面に形成された溝の端面であることを特徴とする上記（３）に記載の防水型フラット回路体用コネクタ。
【００１８】
上記（１）の構成によれば、コネクタ接続口に液密に接続される防水用筒体は、コネクタ接続口内に収まってコネクタ接続口の内周に嵌合する防水栓としてフラット回路体の先端部付近のみに装着される構造であり、ハウジングの外部に露呈しない。従って、防水用筒体に外力が直接作用し難く、外力により防水用筒体がコネクタ接続口から外れることを抑止して防水性能の向上を図ることができる。
【００１９】
また、上記（１）の構成によれば、フラット回路体の先端側に固定されたスライダは、ハウジングとスライダとに跨るようにハウジング上の支え棒挿入口から当該スライダ上の係止溝に挿入される抜け止め用支え棒によりハウジングに固定され、当該スライダの挿入方向に沿う方向の移動が規制される。
【００２０】
即ち、フラット回路体の抜け止めは、ハウジングとフラット回路体とを直接係合させる構造ではなく、スライダを介して達成されている。
【００２１】
そのため、外力により抜け方向の張力がフラット回路体に作用しても、フラット回路体に作用した引張荷重は、スライダが固定されている広域に分散し、フラット回路体上の狭い範囲に集中荷重として作用することを防止することができる。従って、集中荷重によるフラット回路体の破損を防止することができる。
【００２２】
また、フラット回路体がスライダを介してハウジングに抜け止めされる構造では、フラット回路体が直接にハウジングに抜け止めされる構造の場合と比較すると、ハウジングとフラット回路体との結合強度を向上させることができる。
【００２３】
上記（２）の構成によれば、ハウジングの支え棒挿入口からスライダの係止溝に挿入された抜け止め用支え棒は、ハウジングに形成された支え棒保持部に係合して自体が抜け止めされる。そのため、抜け止め用支え棒が不用意にハウジングから脱落することがなく、スライダの抜け止めに対する信頼性を向上させることができる。
【００２４】
上記（３）の構成によれば、コネクタ接続口に液密に接続される防水用筒体は、コネクタ接続口内に収まってコネクタ接続口の内周に嵌合する防水栓としてフラット回路体の先端部付近のみに装着される構造であり、ハウジングの外部に露呈しない。従って、防水用筒体に外力が直接作用し難く、外力により防水用筒体がコネクタ接続口から外れることを抑止して防水性能の向上を図ることができる。
【００２５】
また、上記（３）の構成によれば、フラット回路体の先端側に固定されたスライダは、ハウジング内に挿入されたフラット回路体の先端が規定の挿入完了位置に到達したときに、ハウジング内に装備されているランスが当該スライダ上の段差面に係合することでハウジングに固定され、当該スライダの抜け方向の移動が規制される。
【００２６】
即ち、フラット回路体の抜け止めは、ハウジングとフラット回路体とを直接係合させる構造ではなく、スライダを介して達成されている。
【００２７】
そのため、外力により抜け方向の張力がフラット回路体に作用しても、フラット回路体に作用した引張荷重は、スライダが固定されている広域に分散し、フラット回路体上の狭い範囲に集中荷重として作用することを防止することができる。従って、集中荷重によるフラット回路体の破損を防止することができる。
【００２８】
また、フラット回路体がスライダを介してハウジングに抜け止めされる構造では、フラット回路体が直接にハウジングに抜け止めされる構造の場合と比較すると、ハウジングとフラット回路体との結合強度を向上させることができる。
【００２９】
上記（４）の構成によれば、ランスと係合する段差面が、スライダ内に収まるため、スライダは外方への突起が少ない形状に仕上げることができ、ハウジングへの挿入性を向上させることができる。
【発明の効果】
【００３０】
本発明による防水型フラット回路体用コネクタによれば、防水用筒体がハウジング内に収まる構成であり、防水用筒体に外力が直接作用し難い構造のため、外力により防水用筒体がコネクタ接続口から外れることを抑止して防水性能の向上を図ることができる。
【００３１】
また、ハウジングに対するフラット回路体の抜け止めは、フラット回路体を直接ハウジングに係止させるのではなく、フラット回路体上に固定されたスライダをハウジングに係止させることにより行う。即ち、フラット回路体の抜け止めがスライダを介して行われる構造であるため、外部からの張力がフラット回路体上の狭い範囲に集中荷重として作用することを防止して、集中荷重によるフラット回路体の破損を防止することができる。
【図面の簡単な説明】
【００３２】
【図１】本発明に係る防水型フラット回路体用コネクタの第１実施形態の分解斜視図である。
【図２】図１のＡ−Ａ断面図である。
【図３】図２のＢ部の拡大図である。
【図４】図１に示したＦＰＣ組立体を別の角度から視た斜視図である。
【図５】図４のＣ−Ｃ断面図である。
【図６】図５のＤ部の拡大図である。
【図７】図１に示した抜け止め用支え棒の説明図で、図７（ａ）は斜視図、図７（ｂ）は側面図、図７（ｃ）は裏面図である。
【図８】第１実施形態の防水型フラット回路体用コネクタの組立状態における斜視図である。
【図９】第１実施形態の防水型フラット回路体用コネクタの組立状態における側面図である。
【図１０】図９のＥ−Ｅ断面図である。
【図１１】第１実施形態の防水型フラット回路体用コネクタが相手コネクタに嵌合接続された状態の斜視図である。
【図１２】図１１に示したコネクタの側面図である。
【図１３】図１２のＦ−Ｆ断面図である。
【図１４】本発明に係る防水型フラット回路体用コネクタの第２実施形態の分解斜視図である。
【図１５】図１４のＧ部の拡大図である。
【図１６】第２実施形態のハウジングの正面側から視た斜視図である。
【図１７】第２実施形態のハウジングの正面図である。
【図１８】図１７のＨ−Ｈ断面図である。
【図１９】図１８のＩ部の拡大図である。
【図２０】第２実施形態のハウジングとＦＰＣ組立体との嵌合開始時の説明図で、図２０（ａ）は斜視図、図２０（ｂ）は図２０（ａ）のＪ−Ｊ断面図（縦断面図）である。
【図２１】第２実施形態のハウジングとＦＰＣ組立体との嵌合途中の説明図で、図２１（ａ）は斜視図、図２１（ｂ）は図２１（ａ）の縦断面図である。
【図２２】第２実施形態のハウジングとＦＰＣ組立体との嵌合完了時の説明図で、図２２（ａ）は斜視図、図２２（ｂ）は図２２（ａ）の縦断面図である。
【図２３】図２２（ｂ）におけるＫ部の拡大図である。
【図２４】第２実施形態の防水型フラット回路体用コネクタを相手コネクタに嵌合させる前の状態の斜視図である。
【図２５】第２実施形態の防水型フラット回路体用コネクタと相手コネクタとの嵌合が完了した状態の斜視図である。
【図２６】従来の防水型フラット回路体用コネクタの分解斜視図である。
【図２７】図２６に示した防水型フラット回路体用コネクタの組立状態における縦断面図である。
【発明を実施するための形態】
【００３３】
以下、本発明に係る防水型フラット回路体用コネクタの好適な実施形態について、図面を参照して詳細に説明する。
【００３４】
［第１実施形態］
図１〜図１３は本発明に係る防水型フラット回路体用コネクタの第１実施形態を示したもので、図１は本発明の第１実施形態の防水型フラット回路体用コネクタの分解斜視図、図２は図１のＡ−Ａ断面図、図３は図２のＢ部の拡大図、図４は図１に示したＦＰＣ組立体を別の角度から視た斜視図、図５は図４のＣ−Ｃ断面図、図６は図５のＤ部の拡大図、図７は図１に示した抜け止め用支え棒の説明図で、図７（ａ）は斜視図、図７（ｂ）は側面図、図７（ｃ）は裏面図である。また、図８は第１実施形態の防水型フラット回路体用コネクタの組立状態における斜視図、図９は第１実施形態の防水型フラット回路体用コネクタの組立状態における側面図、図１０は図９のＥ−Ｅ断面図、図１１は第１実施形態の防水型フラット回路体用コネクタが相手コネクタに嵌合接続された状態の斜視図、図１２は図１１に示したコネクタの側面図、図１３は図１２のＦ−Ｆ断面図である。
【００３５】
この第１実施形態の防水型フラット回路体用コネクタ１は、図１に示すように、ハウジング１０と、フラット回路体としてのＦＰＣ２０と、防水用筒体３０と、スライダ４０と、抜け止め用支え棒５０と、を備えている。
【００３６】
また、ＦＰＣ２０は、図１に示すように、予め防水用筒体３０とスライダ４０とが組み付けられて一体化したＦＰＣ組立体６０として、ハウジング１０に挿入される。
【００３７】
ハウジング１０は、図１及び図２に示すように、一端に回路体挿入口１１が設けられると共に、他端に相手コネクタに嵌合接続されるコネクタ接続口１２が設けられている。回路体挿入口１１とコネクタ接続口１２とは連通していて、コネクタ接続口１２とコネクタ接続口１２との間が、ＦＰＣ２０の先端側を収容する収容部となる。
【００３８】
本実施形態のハウジング１０は、図２及び図３に示すように、支え棒挿入口１４と、支え棒保持部１５と、を備えている。
【００３９】
支え棒挿入口１４は、抜け止め用支え棒５０を挿通させる開口である。この支え棒挿入口１４は、ハウジング１０の一側（図２では、左側）に位置する外側壁１０ａから他側に位置する外側壁１０ｂまで、ハウジング１０の幅方向（図２の矢印Ｙ２方向）に貫通して設けられている。支え棒挿入口１４が貫通形成される外側壁１０ａ，１０ｂは、後述するスライダ４０の係止溝４１の開口と対向する側壁である。この支え棒挿入口１４は、後述するスライダ４０の係止溝４１の開口を外部に連通させる。
【００４０】
支え棒保持部１５は、図２及び図３に示すように、支え棒挿入口１４から抜け止め用支え棒５０の挿入方向（図２の矢印Ｙ２方向）に沿って離間した位置に配置されている。本実施形態における支え棒保持部１５は、図２に示すように、支え棒挿入口１４からハウジング１０内に挿入された抜け止め用支え棒５０の先端部に係合して、抜け止め用支え棒５０の先端部を保持（固定）する突起である。
【００４１】
ＦＰＣ２０は、平面状に並設された複数本の導体の周囲が絶縁被覆によって覆われた偏平形状に形成されている。このＦＰＣ２０は、図８〜図１０に示すように先端部２０ａが回路体挿入口１１を通ってコネクタ接続口１２内に臨むように、回路体挿入口１１に挿入される。
【００４２】
防水用筒体３０は、図５に示すように、防水性及び弾性を備えた材料によって略筒状構造に形成されている。防水用筒体３０は、図１０に示すように、ＦＰＣ２０の先端部２０ａを前記回路体挿入口１１に挿通させた際に、コネクタ接続口１２の内周に緊密に嵌合し、コネクタ接続口１２に液密に接続される
【００４３】
本実施形態における防水用筒体３０は、ＦＰＣ２０の先端部２０ａ付近のみに装着された短尺なリング状で、コネクタ接続口１２内に収まって、コネクタ接続口１２の内周に嵌合する防水栓として機能する。
【００４４】
スライダ４０は、図４及び図５に示すように、ＦＰＣ２０の防水用筒体３０よりも先端側となる位置に固定されていて、ＦＰＣ２０の先端部２０ａに回路体挿入口１１の挿入に適した剛性を付与する。本実施形態におけるスライダ４０は、図６に示すように、ＦＰＣ２０の成す平面と平行なスライダ４０の外面に、係止溝４１を有している。係止溝４１は、ＦＰＣ２０の幅方向に沿って延設されると共に、その端部がスライダ４０の外側面に開口している。即ち、係止溝４１は、ＦＰＣ２０の幅方向に沿って貫通形成されている。
【００４５】
抜け止め用支え棒５０は、図８〜図１０に示すように、ハウジング１０とスライダ４０とに跨るように支え棒挿入口１４から係止溝４１に挿入されて、スライダ４０の挿入方向に沿う方向の移動を規制する。即ち、スライダ４０のハウジング１０からの抜けを防止する。
【００４６】
抜け止め用支え棒５０の中間部は、係止溝４１に嵌合する部位で、両端よりも肉厚の厚い肉厚部５１になっている。また、抜け止め用支え棒５０の両端部は、スライダ４０の両側に位置するハウジングの内壁上に位置する。抜け止め用支え棒５０の一方の端部には、図７（ｃ）に示すように、ハウジング係合部５２が備えられている。本実施形態の場合、ハウジング係合部５２は、ハウジング１０に形成された支え棒保持部１５に係合する凹みである。このハウジング係合部５２は、支え棒保持部１５に係合することで、係止溝４１に沿う方向（図２の矢印Ｙ２方向）への移動を規制する。
【００４７】
以上に説明した第１実施形態の防水型フラット回路体用コネクタ１は、図１１〜図１３に示すように相手コネクタ７０に嵌合接続されることで、ハウジング１０内のＦＰＣ２０を、相手コネクタ７０の各接続端子７１に電気的に接続させる。
【００４８】
以上に説明した第１実施形態の防水型フラット回路体用コネクタ１の場合、コネクタ接続口１２に液密に接続される防水用筒体３０は、コネクタ接続口１２内に収まってコネクタ接続口１２の内周に嵌合する防水栓としてＦＰＣ２０の先端部２０ａ付近のみに装着される構造であり、ハウジング１０の外部に露呈しない。従って、防水用筒体３０に外力が直接作用し難く、外力により防水用筒体３０がコネクタ接続口１２から外れることを抑止して防水性能の向上を図ることができる。
【００４９】
また、以上に説明した第１実施形態の防水型フラット回路体用コネクタ１の場合、ＦＰＣ２０の先端側に固定されたスライダ４０は、ハウジング１０とスライダ４０とに跨るようにハウジング１０上の支え棒挿入口１４から当該スライダ４０上の係止溝４１に挿入される抜け止め用支え棒５０によりハウジング１０に固定され、当該スライダ４０の挿入方向に沿う方向の移動が規制される。
【００５０】
即ち、ＦＰＣ２０の抜け止めは、ハウジング１０とＦＰＣ２０とを直接係合させる構造ではなく、スライダ４０を介して達成されている。
【００５１】
そのため、外力により抜け方向の張力がＦＰＣ２０に作用しても、ＦＰＣ２０に作用した引張荷重は、スライダ４０が固定されている広域に分散し、ＦＰＣ２０上の狭い範囲に集中荷重として作用することを防止することができる。従って、集中荷重によるＦＰＣ２０の破損を防止することができる。
【００５２】
また、ＦＰＣ２０がスライダ４０を介してハウジング１０に抜け止めされる構造では、ＦＰＣ２０が直接にハウジング１０に抜け止めされる構造の場合と比較すると、ハウジング１０とＦＰＣ２０との結合強度を向上させることができる。
【００５３】
以上に説明した第１実施形態の防水型フラット回路体用コネクタ１の場合、ハウジング１０の支え棒挿入口１４からスライダ４０の係止溝４１に挿入された抜け止め用支え棒５０は、ハウジング１０に形成された支え棒保持部１５に係合して自体が抜け止めされる。そのため、抜け止め用支え棒５０が不用意にハウジング１０から脱落することがなく、スライダ４０の抜け止めに対する信頼性を向上させることができる。
【００５４】
［第２実施形態］
図１４〜図２５は本発明に係る防水型フラット回路体用コネクタの第２実施形態を示したもので、図１４は本発明の第２実施形態の防水型フラット回路体用コネクタの分解斜視図、図１５は図１４のＧ部の拡大図、図１６は第２実施形態のハウジング１０の正面側から視た斜視図、図１７は第２実施形態のハウジング１０の正面図、図１８は図１７のＨ−Ｈ断面図、図１９は図１８のＩ部の拡大図、図２０は第２実施形態のハウジング１０とＦＰＣ組立体との嵌合開始時の説明図で、図２０（ａ）は斜視図、図２０（ｂ）は図２０（ａ）のＪ−Ｊ断面図（縦断面図）、図２１は第２実施形態のハウジング１０とＦＰＣ組立体との嵌合途中の説明図で、図２１（ａ）は斜視図、図２１（ｂ）は図２１（ａ）の縦断面図、図２２は第２実施形態のハウジング１０とＦＰＣ組立体との嵌合完了時の説明図で、図２２（ａ）は斜視図、図２２（ｂ）は図２２（ａ）の縦断面図、図２３は図２２（ｂ）におけるＫ部の拡大図、図２４は第２実施形態の防水型フラット回路体用コネクタを相手コネクタに嵌合させる前の状態の斜視図、図２５は第２実施形態の防水型フラット回路体用コネクタと相手コネクタとの嵌合が完了した状態の斜視図である。
【００５５】
この第２実施形態の防水型フラット回路体用コネクタ１Ａは、図１４に示すように、ハウジング１０Ａと、フラット回路体としてのＦＰＣ２０と、防水用筒体３０と、スライダ４０Ａと、を備えている。また、ＦＰＣ２０は、図１４に示すように、予め防水用筒体３０とスライダ４０Ａとが組み付けられて一体化したＦＰＣ組立体６０Ａとして、ハウジング１０Ａに挿入される。
【００５６】
第２実施形態におけるＦＰＣ２０及び防水用筒体３０は、第１実施形態におけるＦＰＣ２０及び防水用筒体３０と同様の構成のため、第１実施形態と同一の符号を付して、説明を省略する。
【００５７】
また、第２実施形態におけるハウジング１０Ａは第１実施形態におけるハウジング１０の一部を改良したものであり、スライダ４０Ａは第１実施形態におけるスライダ４０の一部を改良したものである。ハウジング１０Ａ及びスライダ４０Ａにおいて、第１実施形態と共通する構成については、第１実施形態と同番号を付して、説明を省略又は簡略化する。
【００５８】
ハウジング１０Ａは、図１及び図２に示すように、一端に回路体挿入口１１が設けられると共に、他端に相手コネクタに嵌合接続されるコネクタ接続口１２が設けられている。回路体挿入口１１とコネクタ接続口１２とは連通していて、コネクタ接続口１２とコネクタ接続口１２との間が、ＦＰＣ２０の先端側を収容する収容部１６となる。
【００５９】
第２実施形態におけるハウジング１０Ａの場合、図１７〜図１９に示すように、ＦＰＣ２０の先端側を収容する収容部１６には、ランス１７が装備されている。
【００６０】
このランス１７は、回路体挿入口１１とコネクタ接続口１２との間のハウジング１０Ａの内部（収容部１６）に突設されて、ハウジング１０Ａの回路体挿入口１１に挿入されたＦＰＣ２０の先端が規定の挿入完了位置に到達したときに、後述するスライダ４０Ａの段差面４３に係合して、スライダ４０Ａの抜け方向への移動を規制する。
【００６１】
ＦＰＣ２０は、第１実施形態と共通で、平面状に並設された複数本の導体の周囲が絶縁被覆によって覆われた偏平形状に形成されると共に、先端部２０ａが回路体挿入口１１を通ってコネクタ接続口１２内に臨むように回路体挿入口１１に挿入される。
【００６２】
防水用筒体３０は、第１実施形態と共通で、防水性及び弾性を備えた材料によって略筒状構造に形成されている。防水用筒体３０は、ＦＰＣ２０の先端部２０ａを回路体挿入口１１に挿通させた際に、図２０〜図２２に示すように、コネクタ接続口１２の内周に緊密に嵌合し、コネクタ接続口１２に液密に接続される。
【００６３】
本実施形態における防水用筒体３０は、ＦＰＣ２０の先端部２０ａ付近のみに装着された短尺なリング状で、コネクタ接続口１２内に収まって、コネクタ接続口１２の内周に嵌合する防水栓として機能する。
【００６４】
スライダ４０Ａは、図１４に示すように、ＦＰＣ２０の防水用筒体３０よりも先端側となる位置に固定されていて、ＦＰＣ２０の先端部２０ａに回路体挿入口１１の挿入に適した剛性を付与する。本実施形態におけるスライダ４０Ａは、図１５に示すように、ＦＰＣ２０の成す平面と平行なスライダ４０Ａの外面に、２つの抜け止め用の段差面４３が形成されている。
【００６５】
第２実施形態の場合、抜け止め用の段差面４３は、ハウジング１０のランス１７が突入可能にスライダ４０Ａの外面に形成された溝４４の端面である。
【００６６】
スライダ４０Ａの抜け止め用の段差面４３は、図２０〜図２２に示すように、回路体挿入口１１に挿入されたＦＰＣ２０の先端が規定の挿入完了位置に到達したときに、図２２及び図２３に示すように、ハウジング１０Ａ内のランス１７と係合して、スライダ４０Ａの抜け方向（図２３の矢印Ｘ３方向）への移動を規制する。
【００６７】
以上に説明した第２実施形態の防水型フラット回路体用コネクタ１Ａは、図２４及び図２５に示すように相手コネクタ７０に嵌合接続されることで、ハウジング１０Ａ内のＦＰＣ２０を、相手コネクタ７０の各接続端子に電気的に接続させる。
【００６８】
以上に説明した第２実施形態の防水型フラット回路体用コネクタ１Ａの場合、コネクタ接続口１２に液密に接続される防水用筒体３０は、コネクタ接続口１２内に収まってコネクタ接続口１２の内周に嵌合する防水栓としてＦＰＣ２０の先端部２０ａ付近のみに装着される構造であり、ハウジング１０Ａの外部に露呈しない。従って、防水用筒体３０に外力が直接作用し難く、外力により防水用筒体３０がコネクタ接続口１２から外れることを抑止して防水性能の向上を図ることができる。
【００６９】
また、第２実施形態の防水型フラット回路体用コネクタ１Ａの場合、ＦＰＣ２０の先端側に固定されたスライダ４０Ａは、ハウジング１０Ａ内に挿入されたＦＰＣ２０の先端が規定の挿入完了位置に到達したときに、ハウジング１０Ａ内に装備されているランス１７が当該スライダ４０Ａ上の段差面４３に係合することでハウジング１０Ａに固定され、当該スライダ４０Ａの抜け方向の移動が規制される。
【００７０】
即ち、ＦＰＣ２０の抜け止めは、ハウジング１０ＡとＦＰＣ２０とを直接係合させる構造ではなく、スライダ４０Ａを介して達成されている。
【００７１】
そのため、外力により抜け方向の張力がＦＰＣ２０に作用しても、ＦＰＣ２０に作用した引張荷重は、スライダ４０Ａが固定されている広域に分散し、ＦＰＣ２０上の狭い範囲に集中荷重として作用することを防止することができる。従って、集中荷重によるＦＰＣ２０の破損を防止することができる。
【００７２】
また、ＦＰＣ２０がスライダ４０Ａを介してハウジング１０Ａに抜け止めされる構造では、ＦＰＣ２０が直接にハウジング１０Ａに抜け止めされる構造の場合と比較すると、ハウジング１０ＡとＦＰＣ２０との結合強度を向上させることができる。
【００７３】
また、第２実施形態の防水型フラット回路体用コネクタ１Ａの場合、ランス１７と係合する段差面４３が、スライダ４０Ａ内に収まるため、スライダ４０Ａは外方への突起が少ない形状に仕上げることができ、ハウジング１０Ａへの挿入性を向上させることができる。
【００７４】
なお、本発明の防水型フラット回路体用コネクタは、前述した各実施形態に限定されるものでなく、適宜な変形、改良等が可能である。
【００７５】
例えば、第２実施形態でハウジング１０Ａに装備されるランス１７やスライダ４０Ａに装備される抜け止め用の段差面４３の数量は、単一にして構造の簡素化を図ったり、或いは３以上の複数個にして係止力の向上を図ることができる。
【００７６】
また、本発明のハウジングに接続するフラット回路体は、上記実施形態で示したＦＰＣに限るものではなく、フラット回路体としてＦＦＣを採用することも可能である。
【符号の説明】
【００７７】
１，１Ａ  防水型フラット回路体用コネクタ
１０  ハウジング
１１  回路体挿入口
１２  コネクタ接続口
１４  支え棒挿入口
１５  支え棒保持部
１７  ランス
２０  ＦＰＣ（フラット回路体）
２０ａ  先端部
３０  防水用筒体
４０，４０Ａ  スライダ
４１  係止溝
４３  抜け止め用の段差面
４４  溝
５０  抜け止め用支え棒
６０，６０Ａ  ＦＰＣ組立体
７０  相手コネクタ
【図１】
2013098129.tif 000003
【図２】
2013098129.tif 000004
【図３】
2013098129.tif 000005
【図４】
2013098129.tif 000006
【図５】
2013098129.tif 000007
【図６】
2013098129.tif 000008
【図７】
2013098129.tif 000009
【図８】
2013098129.tif 000010
【図９】
2013098129.tif 000011
【図１０】
2013098129.tif 000012
【図１１】
2013098129.tif 000013
【図１２】
2013098129.tif 000014
【図１３】
2013098129.tif 000015
【図１４】
2013098129.tif 000016
【図１５】
2013098129.tif 000017
【図１６】
2013098129.tif 000018
【図１７】
2013098129.tif 000019
【図１８】
2013098129.tif 000020
【図１９】
2013098129.tif 000021
【図２０】
2013098129.tif 000022
【図２１】
2013098129.tif 000023
【図２２】
2013098129.tif 000024
【図２３】
2013098129.tif 000025
【図２４】
2013098129.tif 000026
【図２５】
2013098129.tif 000027
【図２６】
2013098129.tif 000028
【図２７】
2013098129.tif 000029